(57)【要約】      （修正有）【課題】工作性に富み冊子を作る楽しみが増すと共に、ユーザー自身のオリジナルな冊子が作製できる、製本キットを提供する。【解決手段】一方に文字、写真、絵等の情報を表示できる印字面１２ａを有し、他方に剥離紙が貼着された粘着面１２ｂを有すると共に、前記剥離紙に表紙部材３１を形成するための切断線１７が設けられた用紙１２と、前記粘着面１２ｂの表表紙領域１８ａに貼着するための表表紙厚紙１３と、前記粘着面１２ｂの背表紙領域２０ａに貼着するための背表紙厚紙１４と、前記粘着面１２ｂの裏表紙領域２２ａに貼着するための裏表紙厚紙１５と、複数枚の紙葉１６ａ、１６ａ…が一端部２４ａで綴られた紙葉部材１６とを１セットとする製本キット１１である。【選択図】図１
2006159429.tif 000002
【特許請求の範囲】
【請求項１】
一方に文字、写真、絵等の情報を表示できる印字面を有し、他方に剥離紙が貼着された粘着面を有すると共に、前記剥離紙に表紙部材を形成するための切断線が設けられた用紙と、
前記粘着面の表表紙領域に貼着するための表表紙厚紙と、
前記粘着面の背表紙領域に貼着するための背表紙厚紙と、
前記粘着面の裏表紙領域に貼着するための裏表紙厚紙と、
複数枚の紙葉が一端部で綴られた紙葉部材と
を１セットとする製本キットであって、
前記粘着面に貼着された剥離紙は、前記表表紙領域に貼着された表表紙剥離紙と、該表表紙剥離紙の一端に隣接して貼着された表表紙溝部剥離紙と、該表表紙溝部剥離紙の一端に隣接して前記背表紙領域に貼着された背表紙剥離紙と、該背表紙剥離紙の一端に隣接して貼着された裏表紙溝部剥離紙と、該裏表紙溝部剥離紙の一端に隣接して前記裏表紙領域に貼着された裏表紙剥離紙と、前記切断線に沿って所定幅に貼着された折返し部剥離紙と、前記切断線よりも外側の余部剥離紙とに分割されており、
前記紙葉部材の背部と表裏両側部とには、紙葉部材剥離紙が貼着された粘着紙が設けられていることを特徴とする製本キット。
【請求項２】
前記印字面には、印字の適正位置を示す案内表示が設けられていることを特徴とする請求項１に記載の製本キット。
【請求項３】
前記表表紙剥離紙、背表紙剥離紙、及び裏表紙剥離紙は、着色が施されていることを特徴とする請求項１に記載の製本キット。
【請求項４】
前記紙葉は、文字、写真、絵等の情報を表示できる印字面を有することを特徴とする請求項１に記載の製本キット。
【発明の詳細な説明】
【技術分野】
【０００１】
本発明は、製本キットに関するものであり、更に詳しくは、ユーザー自らが組み立てて、本又は冊子を作製するための製本キットに関するものである。
【背景技術】
【０００２】
従来の製本キットとしては、次のような構成のものが知られている。この製本キットは、背表紙の両側縁に表表紙及び裏表紙が設けられた表紙部材と、表表紙と裏表紙との間に積層状に複数配置される本体用紙と、この本体用紙と表表紙との間に配置される表見返し部材と、本体用紙と裏表紙との間に配置される裏見返し部材と、これら表裏両見返し部材と本体用紙とを綴り込むためのリベットとから成り、所定の方法で綴じ込み冊子が作製できるようになっている（特許文献１参照）。
【０００３】
そして、本体用紙は、パソコンに取り込まれた文字、写真、絵画、又は模様等をプリンターで印刷できるようになっている。従って、特別な製本器具を用いなくとも、各個人がオリジナルなアルバム、絵本、又は絵日記等を作製できるのである。
【特許文献１】特開２００３−１７０６７５号公報（図１乃至図３）。
【発明の開示】
【発明が解決しようとする課題】
【０００４】
この従来例の製本キットにおいては、所望の写真等を印刷したオリジナルなアルバム等を作製できるものの、個々の部材を切断し、貼り付け、折り曲げる等して、表表紙や裏表紙や背表紙等を作る工程はない。つまり、従来例の製本キットは、本体用紙に描かれる内容を作成することに主眼をおいたものであり、各部材を切り貼りして冊子を作る工作性には乏しいものである。
【０００５】
また、本体用紙の内容は自由に作成できるものの、表表紙、裏表紙、又は背表紙に所望の表題や絵を描くことは考慮されていない。
【０００６】
従って、従来例における製本キットにおいては、工作性を向上させて冊子を作る楽しみを増すことと、表表紙や裏表紙や背表紙に所望の表題や写真等を描くことができるようにすることとに解決しなければならない課題を有している。
【課題を解決するための手段】
【０００７】
前記従来例の課題を解決する具体的手段として本発明は、一方に文字、写真、絵等の情報を表示できる印字面を有し、他方に剥離紙が貼着された粘着面を有すると共に、前記剥離紙に表紙部材を形成するための切断線が設けられた用紙と、前記粘着面の表表紙領域に貼着するための表表紙厚紙と、前記粘着面の背表紙領域に貼着するための背表紙厚紙と、前記粘着面の裏表紙領域に貼着するための裏表紙厚紙と、複数枚の紙葉が一端部で綴られた紙葉部材とを１セットとする製本キットであって、前記粘着面に貼着された剥離紙は、前記表表紙領域に貼着された表表紙剥離紙と、該表表紙剥離紙の一端に隣接して貼着された表表紙溝部剥離紙と、該表表紙溝部剥離紙の一端に隣接して前記背表紙領域に貼着された背表紙剥離紙と、該背表紙剥離紙の一端に隣接して貼着された裏表紙溝部剥離紙と、該裏表紙溝部剥離紙の一端に隣接して前記裏表紙領域に貼着された裏表紙剥離紙と、前記切断線に沿って所定幅に貼着された折返し部剥離紙と、前記切断線よりも外側の余部剥離紙とに分割されており、前記紙葉部材の背部と表裏両側部とには、紙葉部材剥離紙が貼着された粘着紙が設けられていることを特徴とする製本キットを提供するものである。
【０００８】
また、前記印字面には、印字の適正位置を示す案内表示が設けられている構成としたものであり、そして、前記表表紙剥離紙、背表紙剥離紙、及び裏表紙剥離紙は、着色が施されている構成としたものであり、更に、前記紙葉は、文字、写真、絵等の情報を表示できる印字面を有する構成としたものである。
【発明の効果】
【０００９】
本発明に係る製本キットは、ユーザー自らが、切断線に沿って用紙を切ったり、表表紙厚紙や背表紙厚紙や裏表紙厚紙を用紙の粘着面に貼り付けたり、あるいは用紙を折り曲げたり、紙葉部材を表紙部材に貼り付けたりして冊子を作製することになるので、従来例のものと比較して工作性が豊かであり、冊子を作る楽しみが向上する。
更に、用紙には、文字、写真、絵等の情報を表示できる印字面を有するので、冊子の表表紙、裏表紙、又は背表紙に所望の表題や写真、又は絵等を描くことができるという種々の優れた効果を奏する。
【００１０】
また、印字面には、印字の適正位置を示す案内表示が設けられていることによって、表表紙、背表紙、又は裏表紙の適正位置に表題や写真、又は絵等を印字することができるという優れた効果を奏する。
【００１１】
そして、表表紙剥離紙、背表紙剥離紙、及び裏表紙剥離紙は、着色が施されていることによって、これらの剥離紙がハッキリと視認できて、周囲との境界が分かり易くなるので、剥がすときに便利であるという優れた効果を奏する。
【００１２】
更に、紙葉部材の紙葉には、文字、写真、絵等の情報を表示できる印字面を有することによって、紙葉に描く内容を自由に作ることができるので、ユーザー自身のオリジナルな冊子を作製できるという優れた効果を奏する。
【発明を実施するための最良の形態】
【００１３】
次に、本発明の実施の形態について図面を参照しながら説明する。まず、図１において、符号１１は製本キットを示し、この製本キット１１は、用紙１２と、この用紙１２の表表紙領域１８ａに貼着するための表表紙厚紙１３と、用紙１２の背表紙領域２０ａに貼着するための背表紙厚紙１４と、用紙１２の裏表紙領域２２ａに貼着するための裏表紙厚紙１５と、複数枚の紙葉１６ａ、１６ａ…が一端部２４ａで綴られた紙葉部材１６とで１セットが構成される。
【００１４】
用紙１２は、サイズが例えばＡ４判、又はＢ４判等の所定サイズのものを横長に用いている。
【００１５】
用紙１２の一方の面には、図２に示すように、文字、写真、又は絵等を印刷できる印字面１２ａを有する。この印字面１２ａは、一例を上げればパソコンのプリンターで印刷できるように、インクジェット印刷の対応処理がなされているものであるが、しかし、このような処理がなされていなくても、要するに、印字面１２ａに対してプリンター印刷等により文字、写真、又は絵等が印刷できればよい。
【００１６】
印字面１２ａには、図２に示すように、印字の適正位置を案内するための案内表示３０が所定位置に設けられている。この案内表示３０の内側に沿って印字をすることにより、表表紙、裏表紙、又は背表紙の適正位置に表題や写真、又は絵等が印字できるようになっている。
【００１７】
また、用紙１２の他方の面は、図３及び図４に示すように、剥離紙が貼着された粘着面１２ｂを有する。剥離紙には、表紙部材３１を形成するための切断線１７が設けられている。そして、切断線１７に沿ってハサミ又はカッター等で切ると、用紙１２が所定大きさで横長の長方形状に切断される。
【００１８】
粘着面１２ａに貼着された剥離紙は、図４に示すように、表表紙領域１８ａに貼着された表表紙剥離紙１８と、この表表紙剥離紙１８の一端に隣接して表表紙溝部領域１９ａに貼着された表表紙溝部剥離紙１９と、この表表紙溝部剥離紙１９の一端に隣接して背表紙領域２０ａに貼着された背表紙剥離紙２０と、この背表紙剥離紙２０の一端に隣接して裏表紙溝部領域２１ａに貼着された裏表紙溝部剥離紙２１と、この裏表紙溝部剥離紙２１の一端に隣接して裏表紙領域２２ａに貼着された裏表紙剥離紙２２と、切断線１７に沿って所定幅の折返し部領域２３ａに貼着された折返し部剥離紙２３と、切断線１７よりも外側の余部３６ａに貼着された余部剥離紙３６とに分割されている。そして、これら各剥離紙１８、１９、２０、２１、２２、２３、３６を自由に剥がして、用紙１２の粘着面１２ｂが露出できるようになっている。
【００１９】
また、表表紙剥離紙１８、背表紙剥離紙２０、及び裏表紙剥離紙２２は、その他の剥離紙と異なる色の着色が施されていることが望ましい。何故ならば、これらの剥離紙１８、２０、２２がハッキリと視認できて、周囲との境界が分かり易くなるので、剥がすときに便利だからである。
【００２０】
表表紙厚紙１３は、粘着面１２ｂの表表紙領域１８ａと同一の大きさを有しており、正方形状又は長方形状を呈し、所定の硬さを有した厚紙材で形成されている。
【００２１】
背表紙厚紙１４は、粘着面１２ｂの背表紙領域２０ａと同一の大きさを有しており、所定の幅及び長さを有する縦長の長方形状を呈し、所定の硬さを有した厚紙材で形成されている。
【００２２】
裏表紙厚紙１５は、粘着面１２ｂの裏表紙領域２２ａと同一の大きさを有しており、正方形状又は長方形状を呈し、所定の硬さを有した厚紙材で形成されている。なお、裏表紙厚紙１５は、表表紙厚紙１３と同一の大きさに形成されている。
【００２３】
紙葉部材１６は、正方形状又は長方形状に形成された複数枚の紙葉１６ａ、１６ａ…が一端部２４ａで接着等の手段により綴られている。また、紙葉部材１６の背部２４と、表側部２５と、裏側部２６とには粘着紙２８が設けられており、この粘着紙２８の表面には、紙葉部材剥離紙２７が貼着されている。この紙葉部材剥離紙２７は、適宜位置に切れ目２７ａが形成されており、所要範囲毎に紙葉部材剥離紙２７を剥がして粘着紙２８の粘着面を露出できるようになっている。
【００２４】
また、紙葉１６ａは、文字、写真、又は絵等を印刷できる印字面を有する。この印字面は、前述の用紙１２の印字面と同様に、プリンター印刷等によって文字、写真、又は絵等が印刷できればよい。
【００２５】
次に、製本キット１１を用いて冊子を作製する作業手順の一例について説明する。まず、用紙１２の印字面１２ａに、所望の文字、写真、絵等を印字して、表表紙、裏表紙、又は背表紙に対応する位置に所望の表題や写真や絵等を印刷する。この場合、印字面１２ａの案内表示３０の内側に沿って印字をすれば、表表紙、裏表紙、又は背表紙に対応する適正位置に印字することができる（図２参照）。
【００２６】
そして、ハサミ又はカッターを用いて用紙１２の切断線１７に沿って切り、用紙１２を所定大きさの長方形状に形成し、切断線１７より外側の余部３６ａを余部剥離紙３６と共に取り除く（図４及び図５参照）。
【００２７】
次に、用紙１２の表表紙剥離紙１８、背表紙剥離紙２０、及び裏表紙剥離紙２２をそれぞれ剥がして、表表紙領域１８ａ、背表紙領域２０ａ、及び裏表紙領域２２ａの粘着面１２ｂを露出させる。この場合、表表紙剥離紙１８、背表紙剥離紙２０、及び裏表紙剥離紙２２に、その他の剥離紙と異なる色の着色が施されていれば、周囲との境界がハッキリ分かり易くなるので剥がし易い。
【００２８】
このようにして露出させた表表紙領域１８ａ、背表紙領域２０ａ、及び裏表紙領域２２ａの各粘着面１２ｂに対して、それぞれ表表紙厚紙１３、背表紙厚紙１４、及び裏表紙厚紙１５を貼り付ける（図６参照）。
【００２９】
そして、用紙１２の表表紙溝部剥離紙１９、裏表紙溝部剥離紙２１、及び折返し部剥離紙２３を剥がして、表表紙溝部領域１９ａ、裏表紙溝部領域２１ａ、及び折返し部領域２３ａの粘着面１２ｂを露出させる。
【００３０】
次に、上縁と下縁の折返し部領域２３ａを、表表紙厚紙１３、背表紙厚紙１４、及び裏表紙厚紙１５に対して折り曲げて貼着させる（図７参照）。更に、左右両縁の折返し部領域２３ａを表表紙厚紙１３及び裏表紙厚紙１５に対して折り曲げて貼着させる。このようにして、表紙部材３１が形成される（図８参照）。
【００３１】
一方、紙葉部材１６の紙葉１６ａには、所望の文字、写真、絵等を印字して、紙葉１６ａの内容を自由に作製してもよい。あるいは、紙葉１６ａには印刷等しないで、作製後の冊子の紙葉１６ａに後から自由に記帳できるようにしてもよい。
【００３２】
次に、紙葉部材１６の紙葉部材剥離紙２７を剥がして、背部２４の粘着面を表紙部材３１の背表紙厚紙１４に貼着させる。そして、紙葉部材１６の表側部２５及び裏側部２６の紙葉部材剥離紙２７を剥がして粘着面を露出させて、表表紙溝部領域１９ａ及び裏表紙溝部領域２１ａの粘着面１２ｂと貼着させる（図９参照）。
【００３３】
このとき、表表紙溝部領域１９ａ及び裏表紙溝部領域２１ａの反対面を指で押圧して、紙葉部材１６の表側部２５及び裏側部２６の粘着面と強固に粘着させると共に、当該部位を内側に凹んだ溝状部３２に形成する（図１０参照）。
【００３４】
更に、紙葉部材１６の表側部２５及び裏側部２６の粘着面を、それぞれ表表紙厚紙１３及び裏表紙厚紙１５に対して粘着させる。
【００３５】
このようにして、図１０に示すように、冊子３３の表表紙３４及び背表紙３５の基部側に溝状部３２を形成することによって、表表紙３４及び背表紙３５の開閉が容易になるだけでなく、市販の冊子となんら遜色のない高級感のある冊子３３が作製できるのである。
【００３６】
以上のような作業によって冊子３３を作製することができる。従って、ユーザー自身のオリジナルな冊子が作製できるだけでなく、各部材を切り貼りして冊子を作るので、工作性が豊かであり、冊子を作る楽しみが増すこととなる。
【図面の簡単な説明】
【００３７】
【図１】本発明に係る製本キット１１の１セットを示す斜視図である。
【図２】用紙１２の印字面１２ａに、所望の印刷を施した状態を示す平面図である。
【図３】用紙１２の粘着面１２ｂに、剥離紙１８、１９、２０、２１、２２、２３が貼着された状態の平面図である。
【図４】用紙１２の粘着面１２ｂと、剥離紙１８、１９、２０、２１、２２、２３、３６とを分離して示した斜視図である。
【図５】用紙１２を切断線１７に沿って切断し、余部を取り除いた状態の斜視図である。
【図６】表表紙領域１８ａ、背表紙領域２０ａ、及び裏表紙領域２２ａの各粘着面１２ｂに対して、表表紙厚紙１３、背表紙厚紙１４、及び裏表紙厚紙１５を貼着した状態の斜視図である。
【図７】上縁と下縁の折返し部領域２３ａを折り曲げて、表表紙厚紙１３、背表紙厚紙１４、及び裏表紙厚紙１５に貼着した状態の斜視図である。
【図８】左右両縁の折返し部領域２３ａを折り曲げて、表表紙厚紙１３及び裏表紙厚紙１５に貼着した状態の斜視図である。
【図９】表紙部材３１に紙葉部材１６貼着させる状態を示す斜視図である。
【図１０】冊子３３の斜視図である。
【符号の説明】
【００３８】
１１  製本キット
１２  用紙
１２ａ印字面
１２ｂ粘着面
１３  表表紙厚紙
１４  背表紙厚紙
１５  裏表紙厚紙
１６  紙葉部材
１６ａ紙葉
１７  切断線
１８  表表紙剥離紙
１８ａ表表紙領域
１９  表表紙溝部剥離紙
１９ａ表表紙溝部領域
２０  背表紙剥離紙
２０ａ背表紙領域
２１  裏表紙溝部剥離紙
２１ａ裏表紙溝部領域
２２  裏表紙剥離紙
２２ａ裏表紙領域
２３  折返し部剥離紙
２３ａ折返し部領域
２４  背部
２４ａ一端部
２５  表側部
２６  裏側部
２７  紙葉部材剥離紙
２７ａ切れ目
２８  粘着紙
３０  案内表示
３１  表紙部材
３２  溝状部
３３  冊子
３４  表表紙
３５  背表紙
３６  余部剥離紙
３６ａ余部
【図１】
2006159429.tif 000003
【図２】
2006159429.tif 000004
【図３】
2006159429.tif 000005
【図４】
2006159429.tif 000006
【図５】
2006159429.tif 000007
【図６】
2006159429.tif 000008
【図７】
2006159429.tif 000009
【図８】
2006159429.tif 000010
【図９】
2006159429.tif 000011
【図１０】
2006159429.tif 000012